(57)【要約】【課題】少ない信号線でより多くの種類のキーボード装置を識別することのできる電子機器を提供する。【解決手段】電子機器１０は、キーボード装置２２と、制御基板２６と、制御基板２６に設けられ、キーボード装置２２を制御するエンベデッドコントローラ３６と、エンベデッドコントローラ３６に設けられたアナログ入力部４６と、コネクタ３０を介してキーボード装置２２と制御基板２６とをつなぐケーブル２８と、ケーブル２８に設けられた識別信号線２８ｃと、一端が識別信号線２８ｃにつながり他端がグランド部４２につながる第１分圧抵抗３４と、一端が識別信号線２８ｃにつながり他端が電源部４４につながる第２分圧抵抗４０とを備える。第１分圧抵抗３４はキーボード装置２２の本体２７に設けられ、第２分圧抵抗４０は制御基板２６に設けられる。【選択図】図４
2020144434.tif 000002
【特許請求の範囲】
【請求項１】
キーボード装置と、
制御基板と、
前記制御基板に設けられ、前記キーボード装置を制御するキーボードコントローラと、
前記キーボードコントローラに設けられたアナログ入力部と、
コネクタを介して前記キーボード装置と前記制御基板とをつなぐケーブルと、
前記キーボード装置と前記アナログ入力部とをつなぐ識別信号線と、
一端が前記識別信号線につながり他端が第１電位部につながる第１分圧抵抗と、
一端が前記識別信号線につながり他端が第２電位部につながる第２分圧抵抗と、
を備え、
前記第１分圧抵抗は前記コネクタと前記キーボード装置との間または前記キーボード装置内に設けられることを特徴とする電子機器。
【請求項２】
請求項１に記載の電子機器において、
前記キーボード装置は複数種類から１つが選択されたものであり、
前記第１分圧抵抗は前記キーボード装置の種類によって異なる抵抗値であることを特徴とする電子機器。
【請求項３】
請求項２に記載の電子機器において、
前記キーボード装置におけるキーの操作を認識するキーボードドライバを備え、
前記キーボードコントローラは、前記アナログ入力部から入力される電圧に基づき前記キーボード装置の種類を識別して前記キーボードドライバに通知し、
前記キーボードドライバは、前記キーボードコントローラから通知された前記キーボード装置の種類にしたがって前記キーの種別を認識することを特徴とする電子機器。
【請求項４】
請求項１〜３のいずれか１項に記載の電子機器において、
前記キーボード装置は、
キートップと、
該キートップの下側においてベースプレート上に重ねられて配設され、キートップの押圧操作により接点の離接を行うメンブレンシートと、
を備え、
前記第１分圧抵抗は前記メンブレンシートにおけるプリントパターンによって形成されていることを特徴とする電子機器。
【発明の詳細な説明】
【技術分野】
【０００１】
本発明は、キーボード装置を備える電子機器に関する。
【背景技術】
【０００２】
パーソナルコンピュータやサーバなどの電子機器は入力装置としてキーボード装置を備えている。一般的にこれらのコンピュータでは、制御基板上のキーボードコントローラまたは該キーボードコントローラに接続されたキーボードドライバがキーボード装置からキーの入力を受け付け、入力されたキーの種別を認識してＯＳ（Ｏｐｅｒａｔｉｎｇ  Ｓｙｓｔｅｍ）へ通知している。
【０００３】
ところで、キーボード装置はユーザの使用言語や用途に応じて多くの種類が存在し、例えば外見上が同じ形状であっても所定のキーが異なる文字に割り当てられていることがある。そのため、キーボードコントローラまたはキーボードドライバは接続されているキーボード装置の種類を識別して、種類に応じたキー割り当てテーブルを参照しながら押されたキーの種別を認識する。
【０００４】
このため、図８に示すように制御基板５００のキーボードコントローラ５０２とキーボード装置５０４との間に複数本の識別信号線５０６を設け、キーボード装置５０４では１以上の識別信号線５０６をその種類に応じてグランドに接続している。各識別信号線５０６は制御基板５００上に設けられたプルアップ抵抗５０８を介して電源に接続されており、キーボード装置５０４側でグランドに接続されていない線は論理レベル「１」となり、グランドに接続されている線は論理レベル「０」となる。例えば、キーボード装置５０４ａでは「０，１，１」、キーボード装置５０４ｂでは「１，０，１」、キーボード装置５０４ｃでは「０，０，０」となる。キーボードコントローラ５０２ではこのパターンによってキーボード装置５０４を識別する。キーボード装置５０４が接続されていないときには識別信号線５０６の全てが「１」となって、キーボードコントローラ５０２ではキーボード装置５０４が未接続であることを認識できる。図８ではキーのデータ線および電源線については省略している。
【０００５】
また、特許文献１に記載の装置では、キーボード装置から押されたキーの種別を複数のデータ線によって制御基板に通知している。複数のデータ線は所定の高インピーダンス状態のときにそれぞれキーとは別のスイッチのオン・オフ状態を制御基板に供給する。制御基板ではスイッチのオン・オフのパターンによってキーボード装置の種類を識別する。すなわち、複数のデータ線が識別信号線を兼ねている。
【先行技術文献】
【特許文献】
【０００６】
【特許文献１】特開平２−７６２３号公報
【発明の概要】
【発明が解決しようとする課題】
【０００７】
コンピュータを製造・組立するメーカにおいては、制御基板を含む本体側は共通の構成としておき、共通の本体に対して多くの種類のキーボード装置がそのまま適用可能であることが望ましい。また、ユーザ側においても標準品のキーボード装置を他の種類のキーボード装置に交換することがあり、本体側を設定変更することなくそのまま適用可能であることが望ましい。
【０００８】
図８および特許文献１に示される装置では識別信号線の数によって識別可能なキーボード装置の数が制限される。例えば、識別信号線が３本の場合には、キーボード装置が未接続の場合も含めて８種類に制限される。これ以上の種類のキーボード装置を適用させるためには識別信号線の数を増やさなければならず、配線や構成が複雑になるとともにコストアップにつながる。
【０００９】
本発明は、上記の課題に鑑みてなされたものであって、少ない信号線でより多くの種類のキーボード装置を識別することのできる電子機器を提供することを目的とする。
【課題を解決するための手段】
【００１０】
上述した課題を解決し、目的を達成するために、本発明の態様に係る電子機器は、キーボード装置と、制御基板と、前記制御基板に設けられ、前記キーボード装置を制御するキーボードコントローラと、前記キーボードコントローラに設けられたアナログ入力部と、コネクタを介して前記キーボード装置と前記制御基板とをつなぐケーブルと、前記キーボード装置と前記アナログ入力部とをつなぐ識別信号線と、一端が前記識別信号線につながり他端が第１電位部につながる第１分圧抵抗と、一端が前記識別信号線につながり他端が第２電位部につながる第２分圧抵抗と、を備え、前記第１分圧抵抗は前記コネクタと前記キーボード装置との間または前記キーボード装置内に設けられる。これにより、電子機器は識別信号線の電圧によってキーボード装置の種類を識別可能となり、識別のための信号線が１本で足り、しかもアナログ入力部の分解能に応じて多くの種類のキーボード装置を識別可能になる。
【００１１】
前記キーボード装置は複数種類から１つが選択されたものであり、前記第１分圧抵抗は前記キーボード装置の種類によって異なる抵抗値であっていてもよい。
【００１２】
前記キーボード装置におけるキーの操作を認識するキーボードドライバを備え、前記キーボードコントローラは、前記アナログ入力部から入力される電圧に基づき前記キーボード装置の種類を識別して前記キーボードドライバに通知し、前記キーボードドライバは、前記キーボードコントローラから通知された前記キーボード装置の種類にしたがって前記キーの種別を認識してもよい。このようにして、キーボードドライバはキーの種別を認識することができる。
【００１３】
前記キーボード装置は、キートップと、該キートップの下側においてベースプレート上に重ねられて配設され、キートップの押圧操作により接点の離接を行うメンブレンシートと、を備え、前記第１分圧抵抗は前記メンブレンシートにおけるプリントパターンによって形成されていてもよい。メンブレンシートのプリントパターンで第１分圧抵抗を形成すれば、部品点数の増加がない。
【発明の効果】
【００１４】
本発明の上記態様によれば、第１分圧抵抗と第２分圧抵抗との直列接続による分圧回路が形成され、その分圧値がキーボードコントローラのアナログ入力部に入力される。第１分圧抵抗はコネクタとキーボード装置との間またはキーボード装置内に設けられ、キーボードドライバでは第１分圧抵抗による固有の分圧値に基づいてキーボード装置の種類を識別することができる。これにより、電子機器は１本の識別信号線の電圧によってキーボード装置の種類を識別可能となる。
【図面の簡単な説明】
【００１５】
【図１】図１は、本発明の一実施形態に係る電子機器の斜視図である。
【図２】図２は、複数のキーボード装置から選ばれた１つを電子機器に装着する様子を示した図である。
【図３】図３は、キーボード装置の構成を模式的に示した側面断面図である。
【図４】図４は、複数のキーボード装置から選ばれた１つを電子機器に装着した状態のブロック図である。
【図５】図５は、キーボード装置における第１分圧抵抗の値とエンベデッドコントローラで読み込まれる分圧値とを示す表である。
【図６】図６は、メンブレンシートにおける第１分圧抵抗およびその周辺の平面図である。
【図７】図７は、変形例にかかる複数のキーボード装置から選ばれた１つを電子機器に装着した状態のブロック図である。
【図８】図８は、従来技術にかかる複数のキーボード装置から選ばれた１つを電子機器に装着した状態のブロック図である。
【発明を実施するための形態】
【００１６】
以下に、本発明にかかる電子機器の実施形態を図面に基づいて詳細に説明する。なお、この実施形態によりこの発明が限定されるものではない。
【００１７】
図１は、本発明の一実施形態に係る電子機器１０の斜視図である。この電子機器１０はノート型ＰＣである。図１は、ヒンジ装置１２によってディスプレイ筐体１４を本体筐体１６から開いて電子機器１０をノート型ＰＣの使用形態とした状態を示している。
【００１８】
図１に示すように、電子機器１０は、ディスプレイ筐体１４の後端部と本体筐体１６の後端部とを左右一対のヒンジ装置１２，１２によって回動可能に連結したものである。
【００１９】
ディスプレイ筐体１４は、本体筐体１６よりも薄い平板形状に構成され、その内面１４ａにディスプレイ装置１８が設けられている。ディスプレイ筐体１４は、ヒンジ装置１２を通過したケーブルにより本体筐体１６と電気的に接続されている。ディスプレイ装置１８は、例えばタッチパネル式の液晶表示装置によって構成される。
【００２０】
本体筐体１６は、平板形状に構成された箱体であり、その内面１６ａにキーボード装置２２ａやタッチパッド２４が設けられている。本体筐体１６は、その内部に制御基板２６（図４参照）、演算装置及びメモリ等の各種電子部品が収納されている。
【００２１】
図２は、１１種類のキーボード装置２２ａ〜２２ｋ（図２ではキーボード装置２２ｃ〜２２ｊは省略している。）から選ばれた１つを電子機器１０に装着する様子を示した図である。以下、キーボード装置２２ａ〜２２ｋを代表的にキーボード装置２２とも呼ぶ。キーボード装置２２は上面に複数のキーを備え、ユーザによる該キーの操作を制御基板２６に伝達するものである。
【００２２】
キーボード装置２２ａ〜２２ｋはそれぞれ異なる種類であって、例えばユーザの使用言語や用途に応じた仕様となっている。キーボード装置２２ａ〜２２ｋは、例えば外見上が同じ形状であっても所定のキーが異なる文字に割り当てられている。キーボード装置２２ａ〜２２ｋは交換が可能である。なお、図２ではキーボード装置２２が本体筐体１６の上方から着脱するように示しているが、裏蓋を外した本体筐体１６の下方から着脱するようにしてもよい。
【００２３】
図３は、キーボード装置２２の構成を模式的に示した側面断面図である。図３に示すように、キーボード装置２２はベースプレート５７がベースとなっており、その上面に積層されたメンブレンシート５８と、複数のキートップ２５と、各キートップ２５を支持するリンク部材６１とを備える。
【００２４】
ベースプレート５７は、薄いステンレスやアルミニウム板等の金属板に切り起こし成形や打ち抜き成形を施したものであり、キートップ２５の取付板となるものである。全てのキートップ２５は、１枚のベースプレート５７を共用している。メンブレンシート５８は、キートップ２５の下側においてベースプレート５７上に重ねられて配設され、キートップ２５の押圧操作により接点の離接を行う。メンブレンシート５８は、例えば押圧された場合に接点が閉じる三層構造のスイッチシートである。メンブレンシート５８は、固定接点及び可動接点が重なる位置が押圧された場合に、固定接点と可動接点とが密着することで接点を閉じるものである。メンブレンシート５８は、三層構造であるが、三層構造以外にも例えばゴム製の導電部が回路を短絡させる接触スイッチを用いた構造等でもよい。メンブレンシート５８は各所に貫通孔を有し、この貫通孔を通してリンク部材６１の一部がベースプレート５７の上面に着地する。メンブレンシート５８は、ベースプレート５７の下面側に積層されてもよい。
【００２５】
図４は、複数のキーボード装置２２ａ〜２２ｋから選ばれた１つを電子機器１０に装着した状態のブロック図である。キーボード装置２２は本体２７と、該本体２７につながったケーブル２８とを備えている。ケーブル２８の先端にはコネクタ３０が設けられている。コネクタ３０は、制御基板２６のコネクタ４９に接続される。本体２７はコントロールチップ３２と、第１分圧抵抗３４とを備えている。ケーブル２８には、例えば５本の信号線を含む。すなわち電源線２８ａ、グランド線２８ｂ、識別信号線２８ｃ、キーデータ線２８ｄおよびタイミング信号線２８ｅである。
【００２６】
電源線２８ａは制御基板２６の電源部４４につながる。グランド線２８ｂは制御基板２６のグランド部４２につながる。コントロールチップ３２は電源線２８ａおよびグランド線２８ｂから供給される電力によって動作する。識別信号線２８ｃはキーボード装置２２ａ〜２２ｋの種類を制御基板２６に対して固有の電圧によって伝達する線である。キーデータ線２８ｄは押されたキーにかかる信号をシリアル通信によって制御基板２６に伝達する線である。このシリアル通信の信号は、例えば１１ｂｉｔである。タイミング信号線２８ｅはキーデータ線２８ｄのシリアル通信のためのタイミングをとる線である。エンベデッドコントローラ３６はキーデータ線２８ｄによる双方向通信が可能である。
【００２７】
コントロールチップ３２は所定のスキャンを行い、ユーザによって押圧されたキーを検出し、キーデータ線２８ｄによるタイミングにしたがって該キーのデータをキーデータ線２８ｄに送信する。このキーのデータは文字情報ではなく、例えばキーの物理的位置を示す情報である。
【００２８】
第１分圧抵抗３４は一端がグランドに接続され、他端が識別信号線２８ｃとつながっている。つまり、第１分圧抵抗３４は識別信号線２８ｃからみてプルダウン抵抗となっている。第１分圧抵抗３４は必ずしも１つの抵抗体である必要はなく、２以上の直列構成または並列構成であってもよい。後述するように、第１分圧抵抗３４はメンブレンシート５８に設けられているが（図６参照）、本体２７内に設けられていてもよいし、コネクタ３０と本体２７との間に設けられていてもよい。
【００２９】
図５は、キーボード装置２２ａ〜２２ｋにおける第１分圧抵抗３４の抵抗値と制御基板２６で読み込まれる分圧値とを示す表である。図５に示すように、第１分圧抵抗３４はキーボード装置２２ａ〜２２ｋにおいてそれぞれ固有の抵抗値となっている。キーボード装置２２ａ〜２２ｋにおける固有の第１分圧抵抗３４をそれぞれ第１分圧抵抗３４ａ〜３４ｋとも表す。第１分圧抵抗３４の抵抗値は、後述する第２分圧抵抗４０の抵抗値（例えば１０ｋΩ）との関係で決められている。キーボード装置２２ｋは、対応する第１分圧抵抗３４ｋの抵抗値が０Ωとなっている。この場合の第１分圧抵抗３４ｋは抵抗体ではなくジャンパー線を用いることができる。
【００３０】
図４に戻り、制御基板２６はエンベデッドコントローラ（キーボードコントローラ）３６と、主制御部３８と、第２分圧抵抗４０と、グランド部（第１電位部）４２と、電源部（第２電位部）４４とを備える。制御基板２６はいわゆるマザーボードであり、電子機器１０の統括的な制御を行う。エンベデッドコントローラ３６、主制御部３８および第２分圧抵抗４０は制御基板２６に対して、例えば表面実装されている。第２分圧抵抗４０は表面実装型に限らずスルーホール型でもよい。主制御部３８はＣＰＵ（Ｃｅｎｔｒａｌ  Ｐｒｏｃｅｓｓｉｎｇ  Ｕｎｉｔ）であるが、ここではＣＰＵの作用下に実行されるソフトウェア（例えばＯＳ）を含むものとする。
【００３１】
グランド部４２はグランド線２８ｂにつながっており、その電位は０Ｖである。電源部４４は電源線２８ａにつながっており、その電位は例えば３．３Ｖである。エンベデッドコントローラ３６および主制御部３８は電源部４４およびグランド部４２から供給される電力によって動作する。
【００３２】
エンベデッドコントローラ３６はキーボード装置２２の制御を行う機能と電子機器１０の電源管理の機能とを有しており、アナログ入力部４６を備える。エンベデッドコントローラ３６は、ファームウェアとしてのキーボードドライバ４８によって動作する。キーボードドライバ４８は書き替え可能となっている。
【００３３】
エンベデッドコントローラ３６は、コネクタ４９およびコネクタ３０を介して識別信号線２８ｃ、キーデータ線２８ｄおよびタイミング信号線２８ｅと接続されている。アナログ入力部４６はＡＤコンバータであって、例えば１０ｂｉｔで１０２４の分解能をもつ。アナログ入力部４６の入力インピーダンスは十分大きい。
【００３４】
第２分圧抵抗４０は、一端がアナログ入力部４６と識別信号線２８ｃとを結ぶラインに接続され、他端が電源部４４に接続されている。つまり、第２分圧抵抗４０は識別信号線２８ｃからみてプルアップ抵抗となっている。第２分圧抵抗４０をプルアップする電源はＩＣ用電力の３．３Ｖラインとは別の電源（例えば５Ｖ電源）であってもよい。第２分圧抵抗４０は、キーボード装置２２が未接続時におけるアナログ入力部４６の保護回路を兼ねている。アナログ入力部４６には第２分圧抵抗４０以外の保護回路が設けられていてもよい。第１分圧抵抗３４および／または第２分圧抵抗４０には、識別信号線２８ｃの電位を安定させるためのコンデンサを並列に設けてもよい。
【００３５】
ところで、識別信号線２８ｃはキーボード装置２２の内部で第１分圧抵抗３４を介してグランド線２８ｂにつながっていることから、第１分圧抵抗３４と第２分圧抵抗４０とは電源部４４とグランド部４２との間で直列接続されている。そして、その間の識別信号線２８ｃおよびアナログ入力部４６の入力端子における電位は第１分圧抵抗３４と第２分圧抵抗４０との分圧値となる。
【００３６】
図５に示すように、第１分圧抵抗３４ａ〜３４ｋはキーボード装置２２ａ〜２２ｋにおいてそれぞれ固有の抵抗値となっていることから、それぞれの分圧値も固有の電圧を示す。キーボード装置２２ａ〜２２ｋが本体筐体１６に接続された場合、この分圧値はキーボード装置２２ａ〜２２ｋの順に０．３Ｖ程度の差を示す。なお、キーボード装置２２が未接続である場合には、電源部４４の電圧である３．３Ｖが第２分圧抵抗４０を介してそのままの電圧値となる。
【００３７】
エンベデッドコントローラ３６は、タイミング信号線２８ｅのタイミングに基づいてキーデータ線２８ｄからキーボード装置２２においてユーザが押したキーの情報を受け取る。上記のとおり、この情報は物理的な位置情報などである。したがって、キーボードドライバ４８では、押されたキーの種別を認識するためにはキーボード装置２２の種別を予め認識している必要がある。そのため、キーボードドライバ４８はアナログ入力部４６から分圧値を読み取る。分圧値はキーボード装置２２ａ〜２２ｋに対する固有値であることから、キーボードドライバ４８は該分圧値によって接続されているキーボード装置２２の種類を認識することができる。そして、キーボードドライバ４８は接続されているキーボード装置２２の種類を識別して、種類に応じたキー割り当てテーブルを参照しながら押されたキーの種別を認識する。認識されたキーの種別は主制御部３８に伝達される。なお、キーボードドライバ４８に相当する機能部の一部または全部は主制御部３８に設けられていてもよい。
【００３８】
また、上記の例では、１１種類のキーボード装置２２ａ〜２２ｋが本体筐体１６に対して装着可能となっているが、さらに多くのキーボード装置２２の識別が可能であり、第１分圧抵抗３４の抵抗値に応じて、理論上はアナログ入力部４６の分可能である最大１０２４通りの識別が可能となる。さらに、エンベデッドコントローラ３６ではキーボードドライバ４８の書き替えを行うことにより新たな開発された種類のキーボード装置２２を適用することも可能である。
【００３９】
キーボードドライバ４８によるキーボード装置２２の識別処理は、例えば電子機器１０の電源投入直後に行ってもよいし、所定間隔で定期的に行ってもよいし、またはリアルタイムで常時行ってもよい。
【００４０】
図６は、メンブレンシート５８における第１分圧抵抗３４およびその周辺の平面図である。図６に示すように、第１分圧抵抗３４はメンブレンシート５８上に設けられたプリントパターンであって、多段の平行線を含む蛇行パターンとなっている。蛇行するプリントパターンによれば第１分圧抵抗３４を小さい領域に形成することができる。第１分圧抵抗３４はプリントパターンの長さおよび幅の少なくとも一方はキーボード装置２２の種類によって異なるように設定すればよい。このようにプリントパターンの長さや幅によって第１分圧抵抗３４を形成すると、部品点数を増加させることがない。図６に示す第１分圧抵抗３４は抵抗値の大きいものであるが、比較的小さい抵抗値のものは、仮想線で示すジャンパー線６８，７０の有無により形成してもよい。
【００４１】
図１に示すように、第１分圧抵抗３４はキーボード装置２２におけるキートップが存在しないスペースに設けることによりデッドスペースを有効利用することができる。
【００４２】
上述したように、本実施の形態に係る電子機器１０では、キーボード装置２２の第１分圧抵抗３４と制御基板２６の第２分圧抵抗４０とにより直列接続による分圧回路が形成され、その分圧値がエンベデッドコントローラ３６のアナログ入力部４６に入力される。第１分圧抵抗３４はキーボード装置２２の固有の抵抗値であることから、エンベデッドコントローラ３６のキーボードドライバ４８では第１分圧抵抗３４に基づく固有の分圧値に基づいてキーボード装置２２の種類を識別することができる。これにより、電子機器１０は１本の識別信号線２８ｃの電圧によってキーボード装置２２の種類を識別可能となり、しかもアナログ入力部４６の分解能に応じて多くの種類のキーボード装置２２を識別可能になる。
【００４３】
したがって、電子機器１０の組立工場における組立作業員や、キーボード装置２２を交換するユーザは、本体筐体１６に対して特段の設定や調整を行う必要がない。
【００４４】
なお、第１分圧抵抗３４はキーボード装置２２の本体２７内に限らず、コネクタ３０から本体２７までの間に設けてもよい。
【００４５】
上記の例では、キーボード装置２２における第１分圧抵抗３４がプルダウン抵抗で、制御基板における第２分圧抵抗４０がプルアップ抵抗となっているが、逆に第１分圧抵抗３４をプルアップ抵抗、第２分圧抵抗４０をプルダウン抵抗としてもよい。また、次に述べるように２つの分圧抵抗は両方ともキーボード装置２２に設けられていてもよい。
【００４６】
図７は、変形例にかかる複数のキーボード装置５２ａ〜５２ｋから選ばれた１つを電子機器１０に装着した状態のブロック図である。キーボード装置５２ａ〜５２ｋにおいて上記のキーボード装置２２ａ〜２２ｋと同様の構成箇所には同符号をつけてその詳細な説明は省略する。
【００４７】
本体２７の内部には上記の第２分圧抵抗４０に相当する第２分圧抵抗５４が設けられている。第２分圧抵抗５４はメンブレンシート５８のプリントパターンによって形成してもよい。第１分圧抵抗３４と第２分圧抵抗５４とは本体２７の内部において電源線２８ａとグランド線２８ｂとの間で直列に接続されており、両者の間の部分が識別信号線２８ｃにつながっている。第２分圧抵抗５４を上記の第２分圧抵抗４０と同じ抵抗値にすれば分圧値も等しくなり、キーボード装置５２ａ〜５２ｋは、キーボードドライバ４８からキーボード装置２２ａ〜２２ｋと同様に識別される。
【００４８】
この場合、制御基板２６において上記の第２分圧抵抗４０に相当する箇所にはプルアップ抵抗５６を設けてもよい。プルアップ抵抗５６は、第１分圧抵抗３４と第２分圧抵抗５４とによって形成される分圧値に影響がない程度に十分大きい抵抗値にしておくとよい。
【００４９】
上記の電子機器１０はノート型ＰＣを例にしているが他の形式、例えばデスクトップ型でも適用可能であることは勿論である。
【００５０】
本発明は、上記した実施形態に限定されるものではなく、本発明の主旨を逸脱しない範囲で自由に変更できることは勿論である。
【符号の説明】
【００５１】
１０  電子機器
１６  本体筐体
２２，２２ａ〜２２ｋ，５２ａ〜５２ｋ  キーボード装置
２６  制御基板
２７  本体
２８  ケーブル
２８ａ  電源線
２８ｂ  グランド線
２８ｃ  識別信号線
２８ｄ  キーデータ線
２８ｅ  タイミング信号線
３０，４９  コネクタ
３２  コントロールチップ
３４、３４ａ〜３４ｋ  第１分圧抵抗
３６  エンベデッドコントローラ（キーボードコントローラ）
３８  主制御部
４０，５４  第２分圧抵抗
４２  グランド部（第１電位部）
４４  電源部（第２電位部）
４６  アナログ入力部
４８  キーボードドライバ
５６  プルアップ抵抗 
【図１】
2020144434.tif 000003
【図２】
2020144434.tif 000004
【図３】
2020144434.tif 000005
【図４】
2020144434.tif 000006
【図５】
2020144434.tif 000007
【図６】
2020144434.tif 000008
【図７】
2020144434.tif 000009
【図８】
2020144434.tif 000010